(57)【要約】      （修正有）【課題】燃料電池が必要とする液体燃料量が十分かどうかを随時に監視測定し、液体燃料量が不足した場合、即時に反応することを特徴とする液位測定機能を具えた燃料ストック装置の提供。【解決手段】液位測定機能を具えた燃料ストック装置１は、燃料電池が必要とする液体燃料１０を貯える為のものであり、燃料ストック装置は、メインストックタンク１２、連結管１４、及び水位計１６を含む。メインストックタンクは、液体燃料を貯える為のものであり、パイプによって連結管に繋がっている。連結管は、メインストックタンクとは独立した空間に設置されており、メインストックタンクとパイプによって連結する。水位計は、連結管に設置し、液体燃料の燃料ストック装置における液面高さを測定する為に用いる。【選択図】図１
0003135590.tif 000002
【実用新案登録請求の範囲】
【請求項１】
液位測定機能を具えた燃料ストック装置は、燃料電池が必要とする液体燃料を貯える為のものであり、メインストックタンク、連結管、水位計により構成される液位測定機能を具えた燃料ストック装置において、
該メインストックタンクは、該液体燃料を貯える為のもので、パイプによって連結管に繋がっており、
該連結管は、メインストックタンクとは独立した空間に設置されており、メインストックタンクとパイプによって連結しており、
該水位計は、連結管に設置しており、該液体燃料の該燃料ストック装置内の液面高さを測定するのに用いることを特徴とする液位測定機能を具えた燃料ストック装置。
【請求項２】
前記水位計は、電子式水位計であることを特徴とする請求項１記載の液位測定機能を具えた燃料ストック装置。
【請求項３】
前記水位計は一つの水尺であり、該水尺の目盛りを連結管の管壁上に付けることを特徴とする請求項１記載の液位測定機能を具えた燃料ストック装置。
【請求項４】
前記液体燃料はメタノール水溶液であることを特徴とする請求項１記載の液位測定機能を具えた燃料ストック装置。
【請求項５】
前記液体燃料は、純メタノール溶液であることを特徴とする請求項１記載の液位測定機能を具えた燃料ストック装置。
【請求項６】
前記連結管の径方向幅は、１ｍｍから３ｍｍ間であることを特徴とする請求項１記載の液位測定機能を具えた燃料ストック装置。
【請求項７】
前記水位計を連結管の内部に置く場合は、水位計の表面には、抗腐蝕及び/もしくは抗酸化処理を行うことを特徴とする請求項１記載の液位測定機能を具えた燃料ストック装置。
【請求項８】
前記燃料電池はメタノール直接型燃料電池であることを特徴とする請求項１記載の液位測定機能を具えた燃料ストック装置。
【考案の詳細な説明】
【技術分野】
【０００１】
本考案は、燃料ストック装置に関するものであり、特に、液位測定機能を具えた燃料ストック装置で、燃料電池が必要とする液体燃料をストックするものである。
【背景技術】
【０００２】
燃料電池とは、燃料と酸化剤中にストックされた化学エネルギーを電極反応によって電気エネルギーに直接変換する発電装置である。燃料電池の種類は非常に多く、分類方式もそれぞれ異なるが、電解質の異なる性質に基づいて区分するなら、アルカリ電解質型燃料電池、リン酸型燃料電池、プロトン交換膜型燃料電池、溶融炭酸塩型燃料電池、固体酸化物型燃料電池等の五種の異なる電解質の燃料電池に分けられる。その内、プロトン交換膜型燃料電池には、所謂、メタノール直接型燃料電池も含まれ、直接メタノールを燃料とし、先に水素に改質する必要がなく、現在開発されたエネルギーの比較的高い技術の一つであり、応用対象には、大型発電所、自動車用発電機、携帯式電源等を含む。
【０００３】
しかしながら、メタノール直接型燃料電池のような類の液体燃料電池は、商品化に邁進する過程においてある問題を克服しなければならない。即ち、電力出力の安定性である。よって、液体燃料システム設計において、液体燃料供給装置が貯える液体燃料量は合理的な範囲内を維持していれば、燃料は欠乏せずに、液体燃料電池が正常に電力供給できないこともない。よって、液位測定装置によって、液体燃料ストック装置内の液体燃料量を随時測定する必要があり、即ち、液体燃料ストック装置内の液体燃料の液面高度を測定し、その液面高度を予定した一定の標準範囲内に確実に維持しなければならない。このようにして、燃料電池の電気供給品質を維持することにより、電子商品もまた燃料電池の電力供給が不安定である故の損害を受けることがない。
【考案の開示】
【考案が解決しようとする課題】
【０００４】
本考案の主な目的は、液位測定機能を具えた燃料ストック装置を提供することにあり、燃料電池が必要とする液体燃料量が十分かどうかを随時に監視測定し、液体燃料量が不足した場合は、即時に反応するものである。
【０００５】
本考案の前述目的を達成する為に、本考案が提供する液位測定機能を具えた燃料ストック装置は、燃料電池が必要とする液体燃料を貯えるものであり、その燃料ストック装置は次の構成要素を含む。メインストックタンクは、液体燃料を貯える為のものであり、パイプによって連結管に繋がっている。連結管は、メインストックタンクとは独立空間を成して設置されており、メインストックタンクとパイプによって連結している。水位計は連結管に設置し、液体燃料のメインストックタンク内における液面高度を測定する。
【課題を解決するための手段】
【０００６】
請求項１の考案は、液位測定機能を具えた燃料ストック装置は、燃料電池が必要とする液体燃料を貯える為のものであり、メインストックタンク、連結管、水位計により構成される液位測定機能を具えた燃料ストック装置において、
該メインストックタンクは、該液体燃料を貯える為のもので、パイプによって連結管に繋がっており、
該連結管は、メインストックタンクとは独立した空間に設置されており、メインストックタンクとパイプによって連結しており、
該水位計は、連結管に設置しており、該液体燃料の該燃料ストック装置内の液面高さを測定するのに用いることを特徴とする液位測定機能を具えた燃料ストック装置としている。
請求項２の考案は、前記水位計は、電子式水位計であることを特徴とする請求項１記載の液位測定機能を具えた燃料ストック装置としている。
請求項３の考案は、前記水位計は一つの水尺であり、該水尺の目盛りを連結管の管壁上に付けることを特徴とする請求項１記載の液位測定機能を具えた燃料ストック装置としている。
請求項４の考案は、前記液体燃料はメタノール水溶液であることを特徴とする請求項１記載の液位測定機能を具えた燃料ストック装置としている。
請求項５の考案は、前記液体燃料は、純メタノール溶液であることを特徴とする請求項１記載の液位測定機能を具えた燃料ストック装置としている。
請求項６の考案は、前記連結管の径方向幅は、１ｍｍから３ｍｍ間であることを特徴とする請求項１記載の液位測定機能を具えた燃料ストック装置としている。
請求項７の考案は、前記水位計を連結管の内部に置く場合は、水位計の表面には、抗腐蝕及び/もしくは抗酸化処理を行うことを特徴とする請求項１記載の液位測定機能を具えた燃料ストック装置としている。
請求項８の考案は、前記燃料電池はメタノール直接型燃料電池であることを特徴とする請求項１記載の液位測定機能を具えた燃料ストック装置としている。
【考案の効果】
【０００７】
本考案は液位測定機能を具えた燃料ストック装置を提供することにあり、燃料電池が必要とする液体燃料量が十分かどうかを随時に監視測定し、液体燃料量が不足した場合は、即時に反応するものである。
【考案を実施するための最良の形態】
【０００８】
図１に、本考案の燃料ストック装置の具体例として実施例１の内部構造概略図を示す。図１を参照すると、本考案の燃料ストック装置１は、燃料電池が必要とする液体燃料を貯える為のものであり、燃料ストック装置１がメタノール直接型燃料電池に応用される場合は、それが貯える液体燃料１０は、高濃度の純メタノール溶液か、希釈後のメタノール水溶液である。
【０００９】
図１に示すとおり、本考案の燃料ストック装置１は主に、メインストックタンク１２、連結管１４、水位計１６を含む。メインストックタンク１２は、液体燃料１０を貯える為のものであり、よって、メインストックタンク１２は、公知の高濃度液体燃料ストックタンク（Ｌｉｑｕｉｄ  Ｆｕｅｌ  Ｔａｎｋ）もしくは混合タンク（Ｍｉｘｉｎｇ  Ｔａｎｋ）でもよく、図中のメインストックタンク１２は、パイプによって連結管１４に繋がっている。連結管１４は、メインストックタンク１２とは独立した空間に設置されており、メインストックタンク１２とパイプによって連結され、また、体積スペース節約の為に、連結管１４は、小容積空間に設計され、その径方向の幅Wは、１ｍｍから３ｍｍ間が最良である。水位計１６は、連結管１４に設置し、液体燃料１０の燃料ストック装置１内における液面高さを測定する。図１中の水位計１６は、電子式水位計を用いることも可能であり、連結管１４の内部もしくは外部に設置し、燃料非接触、管壁密着連結方式によって、液面高さを測定する。電子式水位計の具体的な実施方式であるが、それは、気圧、水圧、浮き玉、超音波などの方法によって液体燃料１０の液面高さを連続測定記録するものである。また、液体燃料１０には通常、高腐食性及び酸化性という問題がある故、水位計１６を連結管１４の内部に置く場合は、水位計１６の表面には、抗腐蝕及び/もしくは抗酸化処理を行う。
【００１０】
図２は、本考案の燃料ストック装置の実施例２と燃料電池装置３を組み合わせた状態の部分断面概略図である。図３は、図２の平面構造概略図である。図３を参照すると、本考案の燃料ストック装置２は主に、メインストックタンク２２、連結管２４、及び水位計２６を含んでいる。その内、メインストックタンク２２は、液体燃料２０を貯えるものであり、メインストックタンク２２は、パイプによって連結管２４に繋がっている。連結管２４は、メインストックタンク２２とは独立した空間に設置されており、メインストックタンク２２とパイプで連結している。水位計２６は、連結管２４に設置し、液体燃料２０の燃料ストック装置２内における液面高度を測定するものであり、水位計２６の一種の具体的な実施例においては、一つの水尺を用いており、該水尺の目盛りを連結管２４の管壁上に付ける（図２参照）。また、図２、図３に示すとおり、燃料ストック装置２中のメインストックタンク２２は、燃料電池装置３の内部に設置し、連結管２４は、燃料電池装置３の外部に設けられている故、人工観測方式によって燃料電池装置３外部の連結管２４上の水尺から燃料電池装置３内部のメインストックタンク２２内に貯えた液体燃料２０の液面高さを知ることができる。
【００１１】
本考案の燃料ストック装置は主に、連結管原理を応用したものであり、連結管１４、２４の水位計１６、２６によって、メインストックタンク１２、２２内の液体燃料２０のストック量を測定する。本考案は、メインストックタンク１２、２２の内部に水位計を設けることができない問題を解決するだけでなく、燃料電池内部の燃料ストック量の状況を外側から簡単に知ることができることを特徴としている。
【図面の簡単な説明】
【００１２】
【図１】本考案の燃料ストック装置の実施例１に関する内部構造概略図である。
【図２】本考案の燃料ストック装置の実施例２と燃料電池装置を組み合わせた状態における部分断面概略図である。
【図３】図２の平面構造概略図である。
【符号の説明】
【００１３】
１  燃料ストック装置
１０  液体燃料
１２  メインストックタンク
１４  連結管
１６  水位計
２  燃料ストック装置
２０  液体燃料
２２  メインストックタンク
２４  連結管
２６  水位計
３  燃料電池装置
【図１】
0003135590.tif 000003
【図２】
0003135590.tif 000004
【図３】
0003135590.tif 000005